(57)【要約】【課題】  ローラの回転起動時に生じる弾性部材とローラとの間の摩擦を軽減することが可能な液体塗布装置および記録装置を提供すること。【解決手段】  本発明の一実施形態に係る液体塗布装置は、媒体に液体を塗布する塗布ローラ１００１と、塗布ローラ１００１に当接して形成される液体保持空間Ｓに塗布液を保持するための液体保持部材２００１とを備える。上記液体塗布装置は、塗布ローラ１００１を回転させることにより、液体保持空間Ｓに保持される塗布液を塗布ローラ１００１を介して媒体に塗布する。液体塗布装置は、上記回転の前に、塗布ローラ１００１と液体保持部材２００１とが接する領域の少なくとも一部分に、塗布液を介在させる。【選択図】  図１６
2007000778.tif 000002
【特許請求の範囲】
【請求項１】
液体塗布装置であって、
媒体に液体を塗布する塗布部材と、前記塗布部材に当接して形成される液体保持空間に液体を保持するための保持部材とを備え、前記塗布部材を回転させることにより、前記液体保持空間に保持される液体を前記塗布部材を介して前記媒体に塗布する液体塗布手段と、
前記回転の前に、前記塗布部材と前記保持部材とが接する領域の少なくとも一部分に、前記液体を介在させる液体介在手段と
を備えることを特徴とする液体塗布装置。
【請求項２】
前記塗布部材の前記保持部材と当接する第１の領域および前記保持部材の前記塗布部材と当接する第２の領域の少なくとも一方は弾性体であり、
前記液体介在手段は、前記弾性体の一部を歪ませることにより、前記領域の少なくとも一部分に前記液体を介在させることを特徴とする請求項１記載の液体塗布装置。
【請求項３】
前記塗布部材の前記保持部材と当接する第１の領域および前記保持部材の前記塗布部材と当接する第２の領域の少なくとも一方は弾性体であり、
前記液体介在手段は、前記液体保持空間に保持される液体が、前記塗布部材と前記保持部材とが接する領域を介して前記液体保持空間から外へと擦り抜けないように前記塗布部材を所定量だけ回転させることにより、前記領域の少なくとも一部分に前記液体を介在させることを特徴とする請求項１記載の液体塗布装置。
【請求項４】
前記所定量の回転方向は、前記回転の方向と同一の方向であることを特徴とする請求項３記載の液体塗布装置。
【請求項５】
前記所定量の回転方向は、前記回転の方向と逆の方向であることを特徴とする請求項３記載の液体塗布装置。
【請求項６】
前記液体介在手段は、前記保持部材の前記塗布部材と当接する領域の少なくとも一部分における、前記保持部材の前記塗布部材への当接圧を減少させることにより、前記領域の少なくとも一部分に前記液体を介在させることを特徴とする請求項１記載の液体塗布装置。
【請求項７】
前記液体介在手段は、前記保持部材に接続され、前記液体保持空間を正圧に加圧する加圧手段を備え、
前記加圧手段によって、前記液体保持空間を正圧に加圧することにより、前記領域の少なくとも一部分に前記液体を介在させることを特徴とする請求項１記載の液体塗布装置。
【請求項８】
液体塗布装置であって、
媒体に液体を塗布する塗布部材と、前記塗布部材に当接して形成される液体保持空間に液体を保持するための保持部材とを備え、前記塗布部材を回転させることにより、前記液体保持空間に保持される液体を前記塗布部材を介して前記媒体に塗布する液体塗布手段と、
前記回転の前に、前記塗布部材と前記保持部材とが接する領域の少なくとも一部分に、前記液体の液膜を形成する液膜形成手段と
を備えることを特徴とする液体塗布装置。
【請求項９】
液体塗布装置であって、
媒体に液体を塗布する塗布部材と、前記塗布部材に当接して形成される液体保持空間に液体を保持するための保持部材とを備え、前記塗布部材を回転させることにより、前記液体保持空間に保持される液体を前記塗布部材を介して前記媒体に塗布する液体塗布手段と、
前記回転の前に、前記塗布部材と前記保持部材とが接する領域の少なくとも一部分に空間を形成し、該空間に前記液体保持空間に保持された液体を移動させる手段と
を備えることを特徴とする液体塗布装置。
【請求項１０】
請求項１乃至９のいずれかに記載の液体塗布装置と、
前記液体塗布装置により前記液体が塗布された媒体に対して、記録剤を付与して前記媒体に画像を記録する記録手段と
を備えることを特徴とする記録装置。
【請求項１１】
液体塗布装置の制御方法であって、
媒体に液体を塗布する塗布部材と、前記塗布部材に当接して形成される液体保持空間に液体を保持するための保持部材とを備え、前記塗布部材を回転させることにより、前記液体保持空間に保持される液体を前記塗布部材を介して前記媒体に塗布する液体塗布装置を用意する工程と、
前記回転の前に、前記塗布部材と前記保持部材とが接する領域の少なくとも一部分に、前記液体を介在させる工程と
を有することを特徴とする制御方法。
【発明の詳細な説明】
【技術分野】
【０００１】
本発明は、液体塗布装置および記録装置に関し、詳しくは、顔料を色材とするインクで記録した際に顔料の凝集を早めるなど所定の目的で媒体に液体を塗布する液体塗布装置および記録装置に関するものである。
【背景技術】
【０００２】
広く媒体に液体もしくは液状の材料を塗布する方式として、スピンコータ、ロールコータ、バーコータ、ダイコータが知られている。これらの塗布方式は、比較的長い塗布媒体に塗布を連続的に行うことを前提としたものである。このため、例えば、比較的小さなサイズの塗布媒体が断続的に搬送されてこれらに塗布を行う場合には、塗布媒体ごとに、その塗布開始や終了の位置で塗料ビードが乱れるなどして均一な塗膜が得られなくなるなどの問題を生じることがある。
【０００３】
このような問題を解消可能な一構成として、特許文献１に記載されたものが知られている。この構成は、ダイコータ方式において、回転するロッドバーを用い、このロッドバーに対して吐出用スリットから塗料を吐出し、ロッドバー上に塗膜を形成する。そして、形成された塗膜はロッドバーの回転に伴い塗布媒体に接触して転写されるものである。ここで、ロッドバーに形成された塗膜を塗布媒体に転写、塗布しないときは、塗料はロッドバーの回転によりヘッド内に戻り回収用スリットを介して回収される。すなわち、非塗布時でもロッドバーは回転し続け、その際、塗料はロッドバーに塗膜を形成した状態にある。これにより、塗布媒体が断続的に供給されそれらに断続的に塗布を行う場合でも、均一な塗膜を得ることを可能としている。
【０００４】
インクジェット記録装置の分野においても液体塗布機構を用いたものが知られている。特許文献２には、ローラと接するドクターブレードを用い、このブレードとローラとの間にコーティング液を溜めるようにし、ローラの回転に伴ってこのローラにコーティング液が付与されることが記載されている。そして、このローラの回転に伴い、これと他のローラとの間を搬送される支持体に対し付与されているコーティング液が転写、塗布される。特許文献３にも、同様に、インクジェット記録装置において、染料を不溶化する処理液を記録の前に予め塗布する機構が示されている。この文献の実施例１には、補充タンクに在る処理液が、回転するローラに付着することによって汲み出され同時にその汲み出した処理液が記録紙に塗布されることが記載されている。
【０００５】
しかしながら、以上の特許文献１ないし３に記載の構成は、いずれも、ロッドバーないしローラが回転しつつそのバーないしローラの表面に塗布液が付与もしくは供給されるが、その付与もしくは供給する部分が大気に開放されあるいは連通した部分である。このため、塗布液の蒸発などが問題となる。また、装置の姿勢が変わったときに、それによって塗布液が漏れるなどの問題を生じるおそれがある。
【０００６】
特に、プリンタなどのインクジェット記録装置では、運搬時の姿勢変化による液体の漏れなどを考慮すると、小型化された装置には上記各文献に記載の塗布機構を適用し難い。
【０００７】
これに対し、塗布液としてのインクをローラに付与ないし供給する部分をシールする構成が、特許文献４に開示されている。同文献に記載の塗布機構は、グラビア印刷装置において印刷版のパターンが表面に形成されたローラにインクを塗布する機構である。ここでは、ローラの周面に沿った上下２ヶ所に対応した位置で、ローラの長手方向に延在するドクターブレードと、この２つのドクターブレードの両側部にそれぞれ設けられた弾性部材と、を有したインクチャンバーを用いたものである。このチャンバーをローラの周面に当接させることにより、ローラとの間で液室を形成する。そして、ローラが回転することにより、この液室の塗布液がローラに付与ないし供給されるものである。
【０００８】
【特許文献１】特開２００１−７０８５８号公報
【特許文献２】特表２００２−５１７３４１号公報
【特許文献３】特開平０８−７２２２７号公報
【特許文献４】特開平０８−５８０６９号公報
【発明の開示】
【発明が解決しようとする課題】
【０００９】
このように、特許文献４では、液室を形成するためにチャンバーをローラの周面に当接しているが、この当接圧に応じて、上記チャンバーとローラとの当接領域に摩擦力が発生する。液室のシール性を向上させるためには、上記当接圧を大きくすることが好ましいが、当接圧の増加に伴い、上記摩擦力も大きくなる。このように、上記ローラの回転起動時に摩擦力が大きくなると、該摩擦力の分だけ、ローラを回転する際に必要なエネルギーが増大してしまう。
【００１０】
本発明は、このような問題に鑑みてなされたもので、その目的とするところは、ローラの回転起動時に生じる弾性部材とローラとの間の摩擦を軽減することが可能な液体塗布装置および記録装置を提供することにある。
【課題を解決するための手段】
【００１１】
このような目的を達成するために、本発明は、液体塗布装置であって、媒体に液体を塗布する塗布部材と、前記塗布部材に当接して形成される液体保持空間に液体を保持するための保持部材とを備え、前記塗布部材を回転させることにより、前記液体保持空間に保持される液体を前記塗布部材を介して前記媒体に塗布する液体塗布手段と、前記回転の前に、前記塗布部材と前記保持部材とが接する領域の少なくとも一部分に、前記液体を介在させる液体介在手段とを備えることを特徴とする。
【００１２】
また、本発明は、液体塗布装置であって、媒体に液体を塗布する塗布部材と、前記塗布部材に当接して形成される液体保持空間に液体を保持するための保持部材とを備え、前記塗布部材を回転させることにより、前記液体保持空間に保持される液体を前記塗布部材を介して前記媒体に塗布する液体塗布手段と、前記回転の前に、前記塗布部材と前記保持部材とが接する領域の少なくとも一部分に、前記液体の液膜を形成する液膜形成手段とを備えることを特徴とする。
【００１３】
また、本発明は、液体塗布装置であって、媒体に液体を塗布する塗布部材と、前記塗布部材に当接して形成される液体保持空間に液体を保持するための保持部材とを備え、前記塗布部材を回転させることにより、前記液体保持空間に保持される液体を前記塗布部材を介して前記媒体に塗布する液体塗布手段と、前記回転の前に、前記塗布部材と前記保持部材とが接する領域の少なくとも一部分に空間を形成し、該空間に前記液体保持空間に保持された液体を移動させる手段とを備えることを特徴とする。
【００１４】
また、本発明は、記録装置であって、請求項１乃至１０のいずれかに記載の液体塗布装置と、前記液体塗布装置により前記液体が塗布された媒体に対して、記録剤を付与して前記媒体に画像を記録する記録手段とを備えることを特徴とする。
【００１５】
また、本発明は、液体塗布装置の制御方法であって、媒体に液体を塗布する塗布部材と、前記塗布部材に当接して形成される液体保持空間に液体を保持するための保持部材とを備え、前記塗布部材を回転させることにより、前記液体保持空間に保持される液体を前記塗布部材を介して前記媒体に塗布する液体塗布装置を用意する工程と、前記回転の前に、前記塗布部材と前記保持部材とが接する領域の少なくとも一部分に、前記液体を介在させる工程とを有することを特徴とする。
【発明の効果】
【００１６】
本発明によれば、塗布動作を実行するための塗布部材の回転起動前に、塗布部材と保持部材との接する領域の少なくとも一部分に液体を潤滑材として介在させることができるため、回転起動時に塗布部材の塗布面と保持部材との間に生じる摩擦力を軽減することができ、小電力で回転起動を行うことができる。
【発明を実施するための最良の形態】
【００１７】
以下、添付図面を参照して本発明の好適な実施の形態を詳細に説明する。  
（第１の実施形態）  
図１は、本発明の液体塗布装置１００に係る実施形態の全体構成を示す斜視図である。ここに示す液体塗布装置１００は、概略、塗布媒体に対し所定の塗布液を塗布する液体塗布手段と、この液体塗布手段に塗布液を供給する液体供給手段を有して構成されている。
【００１８】
液体塗布手段は、円筒状の塗布ローラ１００１、この塗布ローラ１００１に対向して配置された円筒状のカウンターローラ（媒体支持部材）１００２、および塗布ローラ１００１を駆動するローラ駆動機構１００３などを有する。このローラ駆動機構１００３は、ローラ駆動モータ１００４と、このローラ駆動モータ１００４の駆動力を塗布ローラ１００１に伝達するギアトレインなどを有する動力伝達機構１００５とによって構成されている。
【００１９】
また、液体供給手段は、塗布ローラ１００１の周面との間で塗布液を保持する液体保持部材２００１、およびこの液体保持部材２００１に液体を供給する後述の液体流路３０００（図１では不図示）などを有して構成される。塗布ローラ１００１およびカウンターローラ１００２は、それぞれ、それらの両端が不図示のフレームに対して回動自在に取り付けられた、互いに平行な軸によって回動自在に支持されている。また、液体保持部材２００１は、塗布ローラ１００１の長手方向のほぼ全体にわたって延在するものであり、塗布ローラ１００１の周面に対して接離動作を可能とする機構を介して上記のフレームに移動可能に取り付けられている。
【００２０】
本実施形態の液体塗布装置は、さらに、塗布ローラ１００１とカウンターローラ１００２とのニップ部に塗布媒体を搬送するための、ピックアップローラなどからなる塗布媒体供給機構１００６を備える。また、この塗布媒体の搬送路において、塗布ローラ１００１およびカウンターローラ１００２の後流側には、塗布液が塗布された塗布媒体を排紙部（不図示）へ向けて搬送する、排紙ローラなどからなる排紙機構１００７が設けられる。これらの給紙機構や排紙機構も、塗布ローラなどと同様、動力伝達機構１００５を介して伝えられる駆動モータ１００４の駆動力によって動作する。
【００２１】
なお、本実施形態で使用する塗布液の成分の一例を以下に記述する。  
グリセリン                  ５０％  
界面活性剤                    １％  
水                            残量  
また、前記塗布液の粘度は２５℃で５〜６ｃＰ（センチポアズ）である。  
なお、本発明の適用において塗布液は、上記のものに限られないことは勿論である。例えば、別の塗布液として、染料を不溶化あるいは凝集させる成分を含有する液体を用いることも可能である。また、別の塗布液として、塗布媒体のカール（媒体が湾曲形状となる現象）を抑制する成分を含有する液体を用いることも可能である。
【００２２】
塗布する液体に水を用いる場合、本発明の塗布ローラとの液体保持部材の当接部分での周動性は、表面張力を下げる成分を前記液体に含ませることで良好なものとなる。  
上述の塗布する液体の成分の一例では、グリセリン及び界面活性剤が水の表面張力を下げる成分である。
【００２３】
次に、以上概略を説明した液体塗布装置を構成する各部の要素についてより詳細に説明する。
【００２４】
図２は、塗布ローラ１００１、カウンターローラ１００２および液体保持部材２００１などの配置の一例を示す縦断側面図である。  
カウンターローラ１００２は、不図示の付勢手段によって塗布ローラ１００１の周面に向けて付勢されている。塗布ローラ１００１を図中、時計方向に回転させることにより、両ローラの間に塗布液を塗布すべき塗布媒体Ｐを挟持し得ると共に、塗布媒体Ｐを図中の矢印方向に搬送し得るようになっている。  
また、液体保持部材２００１は、バネ部材（押圧手段）２００６の付勢力によって塗布ローラ１００１の周面に対して付勢されて当接するとき、塗布ローラ１００１による液体塗布領域全体に亘って延在する長尺な液体保持空間Ｓを形成するようになっている。この液体保持空間Ｓ内には、後述の液体供給経路３０００から液体保持部材２００１を介して塗布液が供給される。このとき、液体保持部材２００１が以下のように構成されているため、塗布ローラ１００１の停止状態において、液体保持空間Ｓから外方へ不用意に塗布液が漏出するのを防止することができる。
【００２５】
この液体保持部材２１００の構成を、図３ないし図８に示す。  
図３に示すように、液体保持部材２００１は、空間形成基材２００２と、この空間形成基材２００２の一方の面に設けられた環状の当接部材２００９とを有して構成されている。空間形成基材２００２には、その中央部分における長手方向に沿って、底部の断面形が円弧状をなす凹部２００３が形成される。そして、当接部材２００９は、その直線部分がこの凹部２００３の上縁部に沿って固着され、また、円周部分が上記上縁部から底部を経て反対側の上縁部に至るように固着される。これにより、液体保持部材２００１の当接部材２００９が塗布ローラ１００１に当接したとき、塗布ローラの周面形状に沿った当接が可能となり、均一な圧力の当接を実現することができる。
【００２６】
なお、本実施形態では、当接部材２００９の材質はＮＢＲ（二トリルブタジエンラバー）とし、その硬度は７０度とする。また、当接部材２００９の直径は３．５ｍｍとする。
【００２７】
上記のようにこの実施形態における液体保持部材は、継ぎ目のない一体に形成された当接部材２００９が、バネ部材２００６の付勢力によって塗布ローラ１００１の外周面に隙間なく連続した状態で当接する。その結果、液体保持空間Ｓは、この当接部材２００９と、空間形成基材の一面と、塗布ローラ１００１の外周面とによる実質的に閉塞した空間となり、この空間に塗布液が保持される。そして、塗布ローラ１００１の回転が停止した状態では、当接部材２００９と塗布ローラ１００１の外周面とは液密状態を維持し、液体が外部へと漏出するのを確実に防止することができる。一方、塗布ローラ１００１が回転するときは、後述されるように、塗布液は塗布ローラ１００１の外周面と当接部材２００９との間をすり抜けて、塗布ローラの外周面に層状に付着する。ここで、塗布ローラ１００１の停止状態において、その外周面と当接部材２００９とが密接状態にあるとは、上記のとおり、上記液体保持空間Ｓの内と外との間で液体を通さないことである。この場合、当接部材２００９の当接状態としては、それが塗布ローラ１００１の外周面に対し、直に接する状態の他、毛管力によって形成される液体の膜を解して上記外周面に当接する状態を含むものである。
【００２８】
また、当接部材２００９の長手方向における左右両側部は、図３ないし図８に示すように、正面（図３）、平面（図６）および側面（図７、図８）のいずれの方向から見ても緩やかに湾曲する形状をなしている。このため、塗布ローラ１００１に対し、比較的強い押圧力で当接部材２１２０を当接させても、当接部材２００９の全体が略均一に弾性変形し、局所的に大きな歪みが生じることはない。このため、当接部材２００９は図６ないし図８に示すように、隙間なく連続的に塗布ローラ１００１の外周面に当接し、上記の実質的に閉塞した空間を形成することができる。
【００２９】
一方、空間形成基材２００２には、図３ないし図５に示すように、当接部材２００９に囲繞された領域内に、それぞれ空間形成基材２００２を貫通する孔を有して構成される液体供給口２００４および液体回収口２００５が設けられている。これらは空間形成基材の背面側に突設された円筒状の連結部２００４１，２００５１にそれぞれ連通している。また、この連結部２００４１，２００５１は、後述の液体供給流路３０００に連結されている。なお、この実施形態では、液体供給口２００４が当接部材２００９に囲繞された領域の一端部（図３では左端部）近傍に形成され、液体回収口２００５が同領域の他端部（図３では右端部）近傍に設けられる。この液体供給口２００４は、液体流路３０００から供給される塗布液を前述の液体保持空間Ｓに供給し、液体回収口２００５は液体保持空間Ｓ内の液体を液体流路３０００へと流出させるためのものである。この液体の供給、流出を行うことにより、液体保持空間Ｓ内において、塗布液は上記の左端部から右端部へと流動する。
【００３０】
（塗布液流路）  
図１１は、前記塗布液供給手段の液体保持部材２００１に連結される液体流路３０００の概略構成を示す説明図である。  
この液体流路３０００は、液体保持部材２００１を構成する空間形成基材２００２の液体供給口２００４と塗布液を貯蔵する貯蔵タンク３００３とを連結する第１流路（供給流路）３００１と、空間形成基材２００２の液体回収口２００５と前記貯蔵タンク３００３とを連結する第２流路（回収流路）３００２とを有する。この貯蔵タンク３００３には、大気連通口３００４が設けられている。この大気連通口には、大気との連通、遮断を切換える大気連通弁３００５が設けられている。また、第１流路３００１内には切換弁３００６が設けられている。この切換弁３００６によって第１流路３００１と大気との連通、遮断が切換え可能となっている。さらに第２流路３００２内には、本液体流路３０００内で塗布液および空気を所望の方向へと強制的に流動させるためのポンプ３００７が連結されている。
【００３１】
この実施形態において、第１流路３００１および第２の流路３００２は円管状のチューブによって形成されている。各チューブの端部に形成される開口部は、貯蔵タンク３００３の底部もしくは底部に近い位置に配置され、貯蔵タンク３００３内の塗布液を完全に消費し得るようになっている。
【００３２】
また、この実施形態における切換弁３００６は、第１流路３００１と大気との連通、遮断を切換え得るものであれば、種々のものが適用可能であるが、ここでは図１１に示すような三方弁を使用している。この三方弁３００６は、互いに連通する３つのポートを有し、このポートのうち２つのポートを、第１流路３００１における貯蔵タンク側チューブ３０１１と、液体保持部材側チューブ３０１２と、大気連通口３０１３の中のいずれか二つに選択的に連通させ得るものとなっている。そして、この三方弁３００６の切換えにより、チューブ３０１１とチューブ３０１２とを連通させる連結状態と、チューブ３０１２と大気連通口３０１３とを連通させる連結状態とが選択的に切り換えられ、これにより、液体保持部材２００１と塗布ローラ１００１とによって形成される液体保持空間Ｓに対し、貯蔵タンク３００３内の塗布液あるいは大気連通口３０１３から取り込まれる空気の何れかを選択して供給することが可能となる。なお、三方弁３００６の切換えは、後述の制御部４０００からの制御信号によって行われ、塗布液の充填、供給などが行われる。
【００３３】
（制御系）  
図１２は、本実施形態の液体塗布装置における制御系の概略構成を示すブロック図である。  
図において、４０００は液体塗布装置全体を制御する制御手段としての制御部である。この制御部４０００は、種々の演算、制御、判別などの処理動作を実行するＣＰＵ４００１と、このＣＰＵ４００１によって実行される、図１３にて後述される処理などの制御プログラムなどを格納するＲＯＭ４００２と、ＣＰＵ４００１の処理動作中のデータや入力データなどを一時的に格納するＲＡＭ４００３などを有する。
【００３４】
この制御部４０００には、所定の指令あるいはデータなどを入力するキーボードあるいは各種スイッチなどを含む入力操作部４００４、液体塗布装置の入力・設定状態などをはじめとする種々の表示を行う表示部４００５、塗布媒体の位置や各部の動作状態などを検出するセンサなどを含む検出部４００６、前記ローラ駆動モータ１００４、ポンプ駆動モータ４００９、大気連通弁３００５および切換弁３００６などがそれぞれ駆動回路４００７，４００８，４０１０，４０１１を介して接続されている。
【００３５】
（液体塗布動作シーケンス）  
図１３は、本実施形態の液体塗布装置の液体塗布に係わる処理手順を示すフローチャートである。以下、このフローチャートを参照して、液体塗布にかかる各工程を説明する。すなわち、液体塗布装置に電源が投入されると、制御部４０００は、図１３に示すフローチャートに従って以下の塗布動作シーケンスを実行する。
【００３６】
充填工程  
ステップＳ１では、前記塗布空間Ｓに対する塗布液の充填工程を実行する。この充填工程では、まず、貯蔵タンク３００３の大気連通弁３００５を大気に開放させると共に、ポンプ３００７を一定時間駆動する。これにより、液体塗布空間Ｓおよび各流路３００１，３００２内に塗布液が充填されていない場合には、ポンプによって内部の空気が貯留部へと送られて大気へと排出されると共に各部に塗布液が充填される。また、既に各部に塗布液が充填されている場合には、各部の塗布液が流動して適正な濃度および粘度の塗布液が供給される。この初期動作によって、塗布ローラ１００１に対し塗布液が供給された状態となり、塗布媒体への塗布が可能となる。
【００３７】
ここで、塗布開始指令が入力されると（ステップＳ２）、再びポンプ３００７が作動を
開始すると共に（ステップＳ３）、後述する回転準備動作を行う（ステップＳ４）。
【００３８】
回転準備動作  
以下に塗布工程における回転準備動作を説明する。
【００３９】
図１４、図１５、図１６は、本実施形態に係る回転準備動作における、塗布ローラ１００１の外周面（塗布面）と、当接部材２００９の上縁部２０１０との間の領域である当接領域１４０１を表す概略図である。図１４〜１６では、塗布液Ｌを黒く塗りつぶしてある。
【００４０】
図１４は、回転準備動作前の塗布ローラ１００１と当接部材２００９における上縁部２０１０の当接状態を示している。同図において、液体保持空間Ｓには塗布液が保持されているが、塗布ローラ１００１と上縁部２０１０の当接領域１４０１には液体は介在しない。
【００４１】
図１５は、回転準備動作として図１５中の矢印方向Ｐに微小回転を行ったときの塗布ローラ１００１と上縁部２０１０の当接状態を示している。回転準備動作において、ローラ駆動モータ１００４が駆動することにより、矢印方向Ｐに塗布ローラ１００１を微小回転させる。この塗布ローラ１００１の微小回転を行ったことにより弾性部材で構成されている上縁部２０１０は歪み、塗布ローラ１００１と上縁部２０１０との当接領域１４０１に微小な隙間が形成される。液体保持空間Ｓに保持されている塗布液は、毛管現象によりこの微小な隙間に充填される。
【００４２】
なお、本明細書において、「（塗布ローラ）を微小回転する」とは、液体保持空間Ｓに保持されている塗布液が、塗布ローラの回転により当接領域１４０１から液体保持空間Ｓの外へと擦り抜けない程度に、塗布ローラを回転することを指す。
【００４３】
また、本明細書において、「当接領域」とは、回転準備動作前において、塗布ローラの外周面と、当接部材とが接する領域を指す。よって、例えば図１４においては、塗布ローラ１００１と接する当接部材２００９の部分は、上縁部２０１０および下縁部２０１１であるので、当接領域は、塗布ローラ１００１と上縁部２０１０とが接する領域、および塗布ローラ１００１と下縁部２０１１とが接する領域となる。
【００４４】
図１６は、回転準備動作終了後の塗布ローラ１００１と上縁部２０１０との当接状態を示している。上記塗布ローラ１００１の回転を止めて微小回転を終了することにより、回転準備動作を終了する。この回転準備動作終了後は、上縁部２０１０の弾性力により塗布ローラ１００１は、図１５の矢印方向Ｐとは逆に回転し、上縁部２０１０の歪みは解消される。このとき、塗布ローラ１００１と当接部材２００９の上縁部２０１０の当接領域１４０１には塗布液が液膜１４０２として残存している。
【００４５】
若しくは、上縁部２０１０の弾性力による塗布ローラ１００１の回転ではなく、上縁部２０１０が弾性力により塗布ローラ１００１上を摺動し、歪みが解消され図１６の状態になることもある。このときも、当接領域１４０１には、液膜１４０２が残存している。
【００４６】
以上のような回転準備動作により、塗布工程における塗布ローラ１００１の回転動作において、当接領域１４０１に介在する塗布液により、当接領域に塗布液が介在しない場合より塗布ローラ１００１の外周面と上縁部２０１０との摩擦力を小さくすることができる。よって、塗布ローラ１００１を滑らかに回転させることができるので、小回転力で回転動作を行うことができる。
【００４７】
図１４ないしは図１５において、当接部材２００９の上縁部２０１０について説明したが、当接部材２００９の下縁部２０１１についても同様に当接領域に塗布液が液膜１４０２として残存する。また、本実施形態と逆回転の微小回転でも同様に当接領域１４０１に塗布液を液膜１４０２として残存する。
【００４８】
本実施形態では、微小回転による歪みを利用して、当接領域に隙間を形成することが目的である。塗布ローラまたは上縁部２０１０のいずれか一方が弾性体であれば、上記隙間は形成される。
【００４９】
なお、本明細書において、「回転準備動作」とは、塗布工程における塗布ローラ１００１の回転の前に行う動作であって、塗布ローラ１００１の回転起動時に、塗布ローラ１００１と当接部材との間の当接領域に生じる摩擦力を小さくするための動作である。具体的には、回転準備動作前には液体が介在していなかった上記当接領域に液体を介在させる動作である。
【００５０】
本発明の一実施形態では、上記当接領域の全面に液体を介在させることが望ましいが、上記当接領域の少なくとも一部に液体を介在させても良い。すなわち、上記当接領域の少なくとも一部に液体を介在させさえすれば、その介在している液体が潤滑材として機能し、その介在している液体の分だけ、塗布ローラの外周面と、当接部材との間に生じる摩擦力を小さくすることができる。
【００５１】
塗布工程  
再び図１３のフローについて説明する。  
回転準備動作終了後に塗布ローラ１００１が図２の矢印に示すように、時計周りに回転を開始する（ステップＳ５）。この塗布ローラ１００１の回転により、液体保持空間Ｓに充填された塗布液Ｌは、塗布ローラ１００１に対する液体保持部材２００１の当接部材２００９の押圧力に抗して、塗布ローラ１００１と当接部材２００９の下縁部２０１１との間をすり抜け、塗布ローラ１００１の外周に層状態となって付着する。塗布ローラ１００１に付着した塗布液Ｌは、塗布ローラ１００１とカウンターローラ１００２との当接部に送られる。
【００５２】
次いで、塗布媒体送給機構１００６によって塗布ローラ１００１とカウンターローラ１００２との間に塗布媒体が搬送され、これらのローラの間に塗布媒体が挿入されるとともに、塗布ローラ１００１とカウンターローラ１００２の回転に伴い排紙部へ向けて搬送される（ステップＳ６）。この搬送の間に、塗布ローラ１００１の外周面に塗布された塗布液が、図９に示すように塗布ローラ１００１から塗布媒体Ｐに転写される。なお、塗布ローラ１００１とカウンターローラ１００２との間に塗布媒体を供給する手段としては、上記の送給機構に限られないことは勿論であり、例えば、所定のガイド部材を補助的に用いる手差しによる手段を併せて用いてもよく、また、手差し手段を単独で用いる構成など、どのような手段を用いてもよい。
【００５３】
図９において、交差する斜線で表現した部分が塗布液Ｌを示している。なお、ここでは、塗布ローラ１００１および塗布媒体Ｐにおける塗布液の層の厚みは、塗布時における塗布液Ｌの様子を明確に図示する上で、実際の厚みよりもかなり過大に表している。
【００５４】
上記のようにして、塗布媒体Ｐの塗布された部分は塗布ローラ１００１の搬送力により矢印方向に搬送されると共に、塗布媒体Ｐと塗布ローラ１００１の接触部に塗布媒体Ｐの未塗布部分が搬送され、この動作を連続もしくは間欠的に行うことで塗布媒体全体に塗布液を塗布して行く。
【００５５】
ところで、図９においては、当接部材２００９からすり抜けて塗布ローラ２００１に付着した塗布液Ｌの全てが塗布媒体Ｐに転写された理想的な塗布状態を示しているが、実際には、塗布ローラ１００１に付着した塗布液Ｌの全てが塗布媒体Ｐに転写されるとは限らない。つまり、搬送される塗布媒体Ｐが塗布ローラ１００１から離間する際、塗布液Ｌは、塗布ローラ１００１にも付着し、塗布ローラ１００１に塗布液Ｌが残留することが多い。この塗布ローラ１００１における塗布液Ｌの残留量は、塗布媒体Ｐの材質及び表面の微小な凹凸の状態によっても異なるが、塗布媒体Ｐが普通紙の場合、塗布動作後も塗布ローラ１００１の周面には塗布液Ｌが残留する。
【００５６】
図２３，図２４，図２５は、媒体Ｐが普通紙である場合における媒体の表面と塗布面での塗布過程を説明する説明図である。本図では液体を黒く塗りつぶしてある。  
図２３は塗布ローラ１００１とカウンタローラ１００２とのニップ部より上流側での状態を示している。同図において塗布ローラ１００１の塗布面には液体が塗布面の表面の微細な凹凸をわずかに被うように液体が付着している。  
図２４は塗布ローラ１００１とカウンタローラ１００２とのニップ部での、媒体Ｐである普通紙の表面と塗布ローラ１００１の塗布面の状態を示している。同図において媒体Ｐである普通紙の表面の凸部は塗布ローラ１００１の塗布面と接触し、接触した部分より液体が瞬時に媒体Ｐである普通紙の表面の繊維に浸透ないし吸着する。また塗布ローラ１００１の塗布面には普通紙の表面の凸部と接触しない部分に付着した液体が残留される。
【００５７】
図２５は塗布ローラ１００１とカウンタローラ１００２とのニップ部より下流側での状態を示している。同図は媒体と塗布ローラ１００１の塗布面が完全に離脱した状態である。塗布ローラ１００１の塗布面には普通紙の表面の凸部と接触しない部分に残留した液体と接触部における液体も極微量ながら塗布面に残留する。
【００５８】
この塗布ローラ１００１に残留した塗布液は、塗布ローラ１００１に対する液体保持部材２００１の当接部材２００９の押圧力に抗して、塗布ローラ１００１と当接部材２００９の上縁部２０１０との間をすり抜けて液体保持空間Ｓ内に戻り、同空間Ｓ内に充填されている塗布液と混合される。
【００５９】
また、この塗布液の戻し動作は、図１０に示すように塗布媒体が存在しない状態で塗布ローラ１００１を回転させた場合にも同様に行われる。すなわち、塗布ローラ１００１を回転することで塗布ローラ１００１の外周に付着した塗布液は、カウンターローラ１００２と当接する部分（ニップ部）の間をすり抜ける。すり抜けた後は塗布ローラ１００１側とカウンターローラ１００２側とに塗布液が分離し、塗布ローラ１００１に塗布液が残留する。そして、塗布ローラ１００１側に付着した塗布液Ｌは当接部材２００９の上縁部２０１０と塗布ローラ１００１との間をすり抜けて液体保持空間Ｓ内に侵入し、同空間Ｓ内に充填されている塗布液に混合する。
【００６０】
終了工程  
上記のようにして、塗布媒体への塗布動作が実行されると、次に塗布工程を終了して良いか否かの判断を行い（ステップＳ７）、塗布工程を終了しない場合は、ステップＳ６に戻り、塗布媒体の塗布が必要な部分全体に塗布工程を終了するまで塗布動作を繰り返す。塗布工程を終了すると、塗布ローラ１００１を停止させ（ステップＳ８）、さらに、ポンプ３００７の駆動を停止させる（ステップＳ９）。この後、ステップＳ２へ移行し、塗布開始指令が入力されていれば、前述のステップＳ２〜Ｓ９の動作を繰り返し、塗布開始指令が入力されていなければ、塗布空間Ｓおよび液体流路内の塗布液を回収する回収動作などの後処理を行い（ステップ１０）、塗布にかかる処理を終了する。
【００６１】
なお、上記回収動作は、前記大気連通弁３００５および切換弁３００６を開放し、ポンプ３００７を駆動することによって塗布液を塗布液保持空間Ｓおよび第２流路３００２内の塗布液を液体貯留タンク３００３へと流入させることによって行う。この回収動作を行うことにより、液体保持空間Ｓからの塗布液の蒸発を完全に防止ないし緩和することができる。また、回収動作後は大気連通弁３００５を閉じ、切換弁３００６を切換えて第１流路３００１および大気連通口３０１３との連通を遮断することにより、貯蔵タンク３００３を大気から遮断する。これにより、液体貯蔵タンク３００３からの塗布液の蒸発を防止ないし緩和することができると共に、移動、運搬などにおいて装置の姿勢が傾いた場合にも塗布液が外部へ流出するのを完全に防止ないし緩和することができる。
【００６２】
以上のように、本実施形態における液体塗布装置では、液体保持空間Ｓに充填された塗布液は、液体保持空間Ｓから、塗布ローラ１００１と上縁部２０１０（下縁部２０１１）との当接領域に層状に供給される。この塗布液の層の厚さ、すなわち当接領域への塗布液の供給量は、塗布液の粘度、塗布ローラ１００１の外周面と塗布媒体との相対速度、および塗布ローラ１００１の外周面に対する当接部材２００９の押圧力などに依存する。本実施形態では、上記供給により、塗布液が層状に形成されなくても、当接領域の一部分に塗布液を介在させていても良い。
【００６３】
（第２の実施形態）  
本実施形態は、回転準備動作において、当接領域にかかる当接圧を解除、または減少させることにより、塗布ローラと、当接部材の塗布ローラと当接する部分との間に、液体を介在させる。すなわち、第１の実施形態では、塗布ローラの微小回転により塗布ローラと当接部材の当接領域に液体を介在させたが、本実施形態では、当接部材の当接圧をさげる、または解除することにより当接部に液体を介在させる形態について説明する。
【００６４】
以下で、本実施形態に係る回転準備動作を説明する。  
なお、図１７〜１９では、塗布液Ｌを交差する斜線で示している。
【００６５】
本実施形態では、空間形成基材２００２の重力方向上方に当接圧解除部材２０３０が設置されている。当接圧解除部材２０３０は、円筒形の円周部２０３１に凸部２０３２が設けられている。また軸２０３３を中心に回転可能である。当接圧解除部材２０３０が矢印方向Ｑに回転すると、凸部２０３２が空間形成基材２００２を当接方向逆側に付勢することになる。この付勢により、当接部材２００９の上縁部２０１０の当接圧を解除、または減少させることができる。この凸部２０３２の材料は、空間形成基材２００２を当接方向と逆方向に付勢できればよいので、剛体であっても弾性体であっても良い。
【００６６】
図１７は、回転準備動作前の、塗布ローラ１００１と当接部材２００９との当接状態を示している。符号１７０１は、塗布ローラ１００１の外周面（塗布面）と、当接部材２００９の上縁部２０１０との間の当接領域を示す。同図において、液体保持空間Ｓの中に塗布液が保持されているが、塗布ローラ１００１と当接部材２００９の上縁部２０１０及び下縁部２０１１の当接領域には塗布液Ｌは介在しない。
【００６７】
図１８は、回転準備動作として図中の矢印方向Ｑに当接圧解除部材２０３０が回転を行い、当接圧解除部材２０３０が空間形成部材２００２を付勢している状態を示している。回転準備動作において、制御部４０００に駆動回路を介して接続された当接圧解除部材駆動モータ（不図示）が駆動することにより、当接圧解除部材２０３０は、矢印方向Ｑに回転する。この回転により、凸部２０３２は、空間形成基材２００２に当接し、空間形成基材２００２に対して、バネ部材２００６による塗布ローラ１００１への当接方向とは逆方向に付勢する。このとき塗布ローラ１００１と当接部材２００９の上縁部２０１０との間（当接領域１７０１）に隙間が生じ、塗布液Lは毛管現象により隙間に充填される。
【００６８】
図１９は、回転準備動作終了後の塗布ローラ１００１と当接部材２００９の当接状態を示している。同図において、当接圧解除部材２０３０は、図１８よりさらに回転し、空間形成部材２００２への付勢は解除される。そのため、当接部材２００９の上縁部２０１０は、再び塗布ローラ１００１に当接し、液体を保持する。しかしながら、回転準備動作後の塗布ローラ１００１と当接部材２００９の上縁部２０１０との当接領域１７０１には、塗布液Lが液膜１７０２として介在している。
【００６９】
以上のような回転準備動作により、塗布工程における塗布ローラ１００１の回転動作において、当接領域１７０１に介在する塗布液により、当接領域に塗布液が介在しない場合より塗布ローラ１００１の外周面と上縁部２０１０との摩擦力を小さくすることができる。よって、塗布ローラ１００１を滑らかに回転させることができるので、小回転力で回転動作を行うことができる。
【００７０】
なお、本実施形態では、図１７、図１８、図１９において、当接部材２００９の上縁部２０１０の当接圧を解除、または減少させるべく当接圧解除部材２０３０を上縁部２０１０近傍に設置する場合について説明したが、これに限定されない。すなわち、下縁部２０１１の当接圧を解除、または減少させるべく当接圧解除部材２０３０を下縁部２０１１近傍に設置してもよく、また上縁部２０１０、下縁部２０１１両方の近傍に設置してもよい。
【００７１】
当接圧解除部材２０３０を、上縁部２０１０、下縁部２０１１の両方に対して設置する場合は、それぞれの当接圧解除部材２０３０の回転開始のタイミングは、同時であってもよいし、異なっていても良い。
【００７２】
なお、本実施形態では、当接部材の塗布ローラへの当接圧の解除、または減少させることにより、当接領域の少なくとも一部に塗布液を介在させることが目的である。よって、当接圧解除部材２０３０の矢印方向Ｑへの回転により、当接領域に所定の空間が形成されたときに上記回転を止め、所定の時間待って矢印方向Ｑとは反対方向に当接圧解除部材２０３０を回転させても良い。
【００７３】
また、当接圧解除部材を用いずに、バネ部材の弾性を制御するなどして、液体保持部材自体を塗布ローラから離間させるようにして、当接部材の塗布ローラへの当接圧の解除、または減少を行っても良い。
【００７４】
（第３の実施形態）  
本実施形態は、空間形成基材２００２に形成された、液体供給口２００４における圧力を、液体回収口２００５での圧力よりも相対的に高くすることによる、液体保持空間Ｓへの加圧により、当接部材の塗布ローラと当接する部分との間に、液体を介在させる。すなわち、本実施形態では、ポンプ３００７によって塗布液が充填された液体保持空間Ｓ内を加圧し、塗布ローラ１００１と当接部材２００９の当接領域に塗布液を介在させる形態について説明する。
【００７５】
以下で、本実施形態に係る回転準備動作を説明する。  
なお、図２０〜２２では、塗布液Ｌを交差する斜線で示している。
【００７６】
本実施形態では、図１１に示すように、液体保持部材２００１の回収側にポンプを設けているので、塗布液の循環の際には、液体回収口２００５での圧力は液体供給口２００４での圧力よりも相対的に低くなり、減圧方式の循環が達成される。本実施形態における減圧方式とは、液体回収口２００５での圧力を液体供給口２００４での圧力よりも相対的に低くするものであって、大気圧や所定の値を判断基準にするものではない。
【００７７】
また、本実施形態における加圧とは、上述のように、液体回収口２００５での圧力を、液体供給口２００４での圧力よりも相対的に高くすることである。以下で、ポンプ３００７による液体保持空間Ｓ内の加圧動作について図１１を用いて説明する。
【００７８】
液体保持空間Ｓ内への塗布液の充填工程後、大気連通弁３００５は開放状態、かつ三方弁３００６は貯蔵タンク側チューブ３０１１と液体保持部材側チューブ３０１２が連通した状態となっている。この状態において、ポンプ３００７を図中の矢印と逆方向に液体を送ることにより、液体回収口２００５での圧力が液体供給口２００４での圧力よりも高くなり、液体保持部材２００１内は加圧状態となる。もしくは、三方弁３００６は貯蔵タンク側チューブ３０１１と大気連通口３０１３とを連通させた状態でもよい。
【００７９】
図２０は、回転準備動作前の、塗布ローラ１００１と当接部材２００９の当接状態を示している。符号１８０１ａは、塗布ローラ１００１の外周面（塗布面）と、当接部材２００９の上縁部２０１０との間の当接領域を示す。同様に、符号１８０１ｂは、塗布ローラ１００１の外周面（塗布面）と、当接部材２００９の下縁部２０１１との間の当接領域を示す。同図において、液体保持空間Ｓの中に塗布液Lが保持されているが、塗布ローラ１００１と当接部材２００９の上縁部２０１０及び下縁部２０１１の当接領域１８０１ａおよび１８０１ｂには塗布液Lは介在していない。
【００８０】
図２１は、回転準備動作として、充填工程に用いたポンプ３００７により液体保持空間Ｓ内を加圧状態にした時の塗布ローラ１００１と当接部材２００９の当接状態を示している。回転準備動作において、ポンプ３００７が、図１１の矢印とは逆方向に液体を送出するように駆動することにより、塗布液Ｌは、液体回収口２００５に供給されて、液体保持空間Ｓ内の塗布液Ｌが加圧される。この加圧により、液体保持部材２００１は、バネ部材２００６による塗布ローラ１００１への当接方向と逆方向に押し戻され、当接領域１８０１ａおよび１８０１ｂに隙間が形成される。これら隙間から塗布液Ｌは滲みでる。
【００８１】
図２２は、回転準備動作終了後の塗布ローラ１００１と当接部材２００９の当接状態を示している。同図において、ポンプ３００７の駆動を停止することにより、液体保持空間Ｓに対する加圧状態は解除される。このとき、当接圧は、回転準備動作前の状態に復帰し、液体保持空間Ｓは、塗布液Ｌを保持する。しかしながら、回転準備動作後の塗布ローラ２００１と、当接部材２００９の上縁部２０１０および下縁部２０１１との当接領域１８０１ａ、１８０１ｂには、塗布液Ｌがそれぞれ液膜１８０２ａおよび１８０２ｂとして介在している。
【００８２】
以上のような回転準備動作により、塗布工程における塗布ローラ１００１の回転動作において、当接領域１８０１ａおよび１８０１ｂに介在する塗布液により、当接領域に塗布液が介在しない場合より塗布ローラ１００１の外周面と上縁部２０１０および下縁部２０１１との摩擦力を小さくすることができる。よって、塗布ローラ１００１を滑らかに回転させることができるので、小回転力で回転動作を行うことができる。
【００８３】
なお、第１〜第３の実施形態に係る液体塗布装置を、インクジェット記録装置などの記録装置に適用する場合は、液体塗布装置により塗布液が塗布された媒体に対して、記録剤を付与して媒体に画像を記録すれば良い。
【００８４】
例えば、図１３におけるステップＳ６にて、記録媒体に塗布液が塗布された後、必要な部分に塗布液が塗布された記録媒体に対して、記録動作を行えばよい。この記録動作は、例えば、記録装置がインクジェット記録装置である場合、記録ヘッドによってインクを、塗布液が塗布された記録媒体に付与することによって行われる。
【図面の簡単な説明】
【００８５】
【図１】本発明の液体塗布装置に係る実施形態の全体構成を示す斜視図である。
【図２】図１に示した塗布ローラ、カウンターローラおよび液体保持部材などの配置の一例を示す縦断側面図である。
【図３】図１および図２に示した液体保持部材の正面図である。
【図４】図３に示した液体保持部材をＩＶ−ＩＶ線にて切断した端面を示す端面図である。
【図５】図３に示した液体保持部材をＶ−Ｖ線にて切断した端面を示す端面図である。
【図６】図３に示した液体保持部材の平面図である。
【図７】図３に示した液体塗布部材の当接部を液体塗布ローラに当接させた状態を示す左側面図である。
【図８】図３に示した液体塗布部材の当接部を液体塗布ローラに当接させた状態を示す右側面図である。
【図９】本発明の実施形態において、液体保持部材と塗布ローラとによって形成される液体保持空間に塗布液が充填され、塗布ローラの回転により塗布媒体に液体が塗布されている状態を示す縦断断面図である。
【図１０】本発明の実施形態において、液体保持部材と塗布ローラとによって形成される液体保持空間に塗布液が充填され、塗布媒体が存在しない状態で塗布ローラを回転させた状態を示す縦断断面図である。
【図１１】本発明の実施形態における液体塗布装置の液体流路の概略構成を示す図である。
【図１２】本発明の実施形態における制御系の概略構成を示すブロック図である。
【図１３】本発明の実施形態における液体塗布動作シーケンスを示すフローチャートである。
【図１４】本発明の第１の実施形態における回転準備動作前の当接部を示す図である。
【図１５】本発明の第１の実施形態における回転準備動作中の当接部を示す図である。
【図１６】本発明の第１の実施形態における回転準備動作後の当接部を示す図である。
【図１７】本発明の第２の実施形態における回転準備動作前の当接部を示す図である。
【図１８】本発明の第２の実施形態における回転準備動作中の当接部を示す図である。
【図１９】本発明の第２の実施形態における回転準備動作後の当接部を示す図である。
【図２０】本発明の第３の実施形態における回転準備動作前の当接部を示す図である。
【図２１】本発明の第３の実施形態における回転準備動作中の当接部を示す図である。
【図２２】本発明の第３の実施形態における回転準備動作後の当接部を示す図である。
【図２３】本発明の実施形態において、媒体が普通紙である場合にその媒体の表面と塗布面での塗布過程を説明する説明図であり、塗布ローラ１００１とカウンタローラ１００２とのニップ部より上流側での状態を示している。
【図２４】本発明の実施形態において、媒体が普通紙である場合にその媒体の表面と塗布面での塗布過程を説明する説明図であり、塗布ローラ１００１とカウンタローラ１００２とのニップ部での、媒体Ｐである普通紙の表面と塗布ローラ１００１の塗布面の状態を示している。
【図２５】本発明の実施形態において、媒体が普通紙である場合にその媒体の表面と塗布面での塗布過程を説明する説明図であり、塗布ローラ１００１とカウンタローラ１００２とのニップ部より下流側での状態を示している。
【符号の説明】
【００８６】
１４０１、１７０１、１８０１ａ、１８０１ｂ  当接領域
１４０２、１７０２、１８０２ａ、１８０２ｂ  液膜
２００１  液体保持部材
２００２  空間形成基材
２００４  液体供給口
２００５  液体回収口
２０３０  当接圧解除部材
２０３１  円筒形の円周部
２０３２  凸部
２０３３  軸
３００１  第１流路
３００２  第２流路
３００３  貯蔵タンク
３００４、３０１３  大気連通口
３００５  大気連通弁
３００６  切換弁
３００７  ポンプ
３０１１  貯蔵タンク側チューブ
３０１２  液体塗布部材側チューブ
【図１】
2007000778.tif 000003
【図２】
2007000778.tif 000004
【図３】
2007000778.tif 000005
【図４】
2007000778.tif 000006
【図５】
2007000778.tif 000007
【図６】
2007000778.tif 000008
【図７】
2007000778.tif 000009
【図８】
2007000778.tif 000010
【図９】
2007000778.tif 000011
【図１０】
2007000778.tif 000012
【図１１】
2007000778.tif 000013
【図１２】
2007000778.tif 000014
【図１３】
2007000778.tif 000015
【図１４】
2007000778.tif 000016
【図１５】
2007000778.tif 000017
【図１６】
2007000778.tif 000018
【図１７】
2007000778.tif 000019
【図１８】
2007000778.tif 000020
【図１９】
2007000778.tif 000021
【図２０】
2007000778.tif 000022
【図２１】
2007000778.tif 000023
【図２２】
2007000778.tif 000024
【図２３】
2007000778.tif 000025
【図２４】
2007000778.tif 000026
【図２５】
2007000778.tif 000027